【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】  浸透投与系における有効剤の投与速度を制御するための浸透投与系プラグであって、
ボディの開口に始まり、半透性ボディ内の深部面に達する内面を有するくぼみと；
該深部面の反対側に配置された液体接触面と；
該内面の反対側に配置された外面であって、該ボディが挿入可能である浸透投与系のエンクロージャーの内部から使用環境を密封するための手段を有する外面と；
該液体接触面と関係する該深部面の位置によって画定される予め定められたプラグ厚さと；
該内面に対する該外面の位置によって画定される予め定められた壁幅と
を含み、予め定められたプラグ厚さと予め定められた壁幅の少なくとも一方が半透性ボディを通る液体透過速度を制御する前記プラグ。
【請求項２】  該くぼみ内に配置されたインサートをさらに含む、請求項１記載の浸透投与系プラグ。
【請求項３】  該インサートが液体に対して透過性である、請求項２記載の浸透投与系プラグ。
【請求項４】  該インサートが管状内部の深部面に隣接する上面を包含する、請求項１記載の浸透投与系プラグ。
【請求項５】  該インサートが該くぼみの内面と係合する末端面を包含する、請求項１記載の浸透投与系プラグ。
【請求項６】  該半透性ボディの液体接触面が円錐形状面を包含する、請求項１記載の浸透投与系プラグ。
【請求項７】  浸透投与系における有効剤の投与速度を制御するための浸透投与系プラグであって、浸透投与系のエンクロージャー中の開口中に少なくとも部分的に配置可能であり、浸透投与系における有効剤の投与速度を制御するために、半透性ボディを通る予め定められた液体透過速度を得るように選択されたサイズを有する中空内側部分を包含する半透性ボディを含む前記浸透投与系プラグ。
【請求項８】  該中空内側部分が円錐形状である、請求項７記載の浸透投与系プラグ。
【請求項９】  該中空内側部分が円筒形状である、請求項７記載の浸透投与系プラグ。
【請求項１０】  該半透性ボディが浸透投与系の外部の液体と接触するための液体接触面を包含する、請求項７記載の浸透投与系プラグ。
【請求項１１】  該液体接触面が、該中空内側部分の反対側の、前記ボディの末端に位置する、請求項１０記載の浸透投与系プラグ。
【請求項１２】  該中空内側部分が該液体接触面と深部面との間の半透性ボディのプラグ厚さを画定する深部面を包含する、請求項１１記載の浸透投与系プラグ。
【請求項１３】  該液体接触面が円錐形状である、請求項１０記載の浸透投与系プラグ。
【請求項１４】  中空内側部分内に配置されたインサートを包含する、請求項７記載の浸透投与系プラグ。
【請求項１５】  該中空内側部分と該インサートとが円筒形状であり、該円筒形状中空内側部分が円筒形状インサートを嵌合的に受容する、請求項１４記載の浸透投与系プラグ。
【請求項１６】  該インサートが液体に対して透過性である、請求項１４記載の浸透投与系プラグ。
【請求項１７】  該インサートが半透性ボディの透過性とは異なる透過性を有する半透性物質である、請求項１４記載の浸透投与系プラグ。
【請求項１８】  該インサートが浸透剤を包含する、請求項１４記載の浸透投与系プラグ。
【請求項１９】  該半透性ボディが、少なくとも部分的にエンクロージャー中に配置されるときに、エンクロージャーによって密封を完成するように、密封外面を包含する、請求項７記載の浸透投与系プラグ。
【請求項２０】  該中空内側部分が該密封外面と内面との間の壁厚さを画定する内面を包含する、請求項１９記載の浸透投与系プラグ。
【請求項２１】  密封の完成を助けるために該中空内側部分内に位置する液体透過性要素を包含する、請求項１９記載の浸透投与系プラグ。
【請求項２２】  該密封外面が少なくとも１つのリブを包含する、請求項１９記載の浸透投与系プラグ。
【請求項２３】  開口と投与口とを有するエンクロージャーであって、液体膨張性浸透剤と有効剤とを保持し、前記液体浸透剤が周囲環境から液体を吸収して前記エンクロージャーからの有効剤の投与速度を生じる前記エンクロージャーと；少なくとも部分的に前記開口中に配置された半透性ボディを有し、前記半透性ボディが、浸透投与系における有効剤の投与速度を制御するための、該半透性ボディを通る予め定められた液体透過速度を得るように選択されたサイズを有する中空内側部分を包含するプラグとを含む浸透投与系。
【請求項２４】  エンクロージャー中に配置された、該浸透剤と該有効剤との分離要素をさらに含む、請求項２３記載の浸透投与系。
【請求項２５】  該分離要素が可動なピストンである、請求項２４記載の浸透投与系。
【請求項２６】  該浸透剤が錠剤である、請求項２３記載の浸透投与系。
【請求項２７】  該プラグが該中空内側部分内に配置されたインサートを包含する、請求項２３記載の浸透投与系。
【請求項２８】  該エンクロージャーが液体に対して、実質的に不透性である請求項２３記載の浸透投与系。
【請求項２９】  該半透性ボディが円錐形状面を包含する、請求項２３記載の浸透投与系。
【請求項３０】  有効剤と、周囲環境から液体を吸収して、液体不透性エンクロージャーからの前記有効剤の投与を生じるための浸透剤とを保持する内部を有する前記液体不透性エンクロージャーと；
半透性ボディに通して前記浸透剤まで液体を透過させるための、前記液体不透性エンクロージャーと液体連絡した前記半透性ボディと；
前記液体不透性エンクロージャーとは分離した、前記半透性ボディの表面の一部を囲む液体不透性スリーブと
を含む浸透投与系であって、
前記浸透投与系が液体使用環境に配置されたときに、前記表面の前記一部が液体に曝露されず、前記浸透投与系が液体使用環境に配置されたときに、前記半透性ボディが、前記液体不透性スリーブによって囲まれず、液体に直接曝露される、前記表面の部分を包含する前記浸透投与系。
【請求項３１】  前記半透性ボディの前記表面の前記一部が円筒形状面であり、前記液体不透性スリーブが前記円筒形状面に接触する、請求項３０記載の浸透投与系。
【請求項３２】  前記半透性ボディの曝露面が前記円筒形状面に付随する表面を包含する、請求項３１記載の浸透投与系。
【請求項３３】  前記液体不透性スリーブが前記半透性ボディの前記表面に接触しており、前記浸透投与系が液体使用環境に配置されたときに、液体に曝露される前記曝露面量を変えるために前記液体不透性スリーブが前記表面に関して可動である、請求項３０記載の浸透投与系。
【請求項３４】  前記液体不透性スリーブが前記液体不透性エンクロージャーの外面に接触しており、前記液体不透性エンクロージャーの前記外面に関して可動である、請求項３０記載の浸透投与系。
【請求項３５】  半透性ボディが浸透投与系の前記液体不透性エンクロージャーの開口内に配置されている、請求項３０記載の浸透投与系。
【請求項３６】  前記液体不透性スリーブと前記エンクロージャーの少なくとも一方がねじ山を包含しており、前記スリーブを回転させることによって、前記液体不透性スリーブが前記クロージャーに関して直線的に可動である、請求項３０記載の浸透投与系。
【請求項３７】  有効剤と、周囲環境から液体を吸収して、液体不透性エンクロージャーからの前記有効剤の投与を生じるための浸透剤とを保持する内部を有する前記液体不透性エンクロージャーと；
第１半透性ボディに通して前記浸透剤まで液体を透過させるための、前記液体不透性エンクロージャーと液体連絡した前記第１半透性ボディと；
前記半透性ボディと前記第１半透性ボディとに通して前記浸透剤にまで液体を透過させるように、前記第１半透性ボディに接触し、前記第１半透性ボディと液体連絡した第２半透性ボディと
を含む浸透投与系。
【請求項３８】  浸透投与系中への液体透過速度を変えるために、前記第２半透性ボディが前記半透性ボディから除去可能である、請求項３７記載の浸透投与系。
【請求項３９】  前記第２半透性ボディが前記第１半透性ボディに接着剤によって取り付けられている、請求項３７記載の浸透投与系。
【請求項４０】  前記第１半透性ボディと前記第２半透性ボディとが半透性層である、請求項３７記載の浸透投与系。
【請求項４１】  開口と投与口とを有する液体不透性エンクロージャーであって、有効剤と、周囲環境から液体を吸収して、前記エンクロージャーからの前記有効剤の投与速度を生じるための液体膨張性浸透剤とを保持する内部を有する前記液体不透性エンクロージャーと；
半透性ボディを有する、該開口中に少なくとも部分的に挿入されたプラグと
を有する浸透投与系であって、該浸透投与系が液体使用環境に配置されたときに、該半透性ボディが液体に直接曝露される曝露面を有し、前記曝露面が円錐形状面を包含する前記浸透投与系。
【請求項４２】  半透性ボディが円筒形状部分を有する、請求項４１記載の浸透投与系。
【請求項４３】  円錐形表面の頂点が浸透剤とは反対方向に向いている、請求項４１記載の浸透投与系。
【請求項４４】  半透性ボディがエンクロージャーと半透性ボディとの間を密封するためのリブを包含する、請求項４１記載の浸透投与系。
【請求項４５】  半透性ボディが該半透性ボディからの予め定められた液体透過速度を得るように選択されたサイズを有する中空内側部分を包含し、該液体透過速度が該浸透投与系における有効剤の投与速度を制御する、請求項４１記載の浸透投与系。
【請求項４６】  中空内側部分内に配置された多孔質インサートをさらに含む、請求項４５記載の浸透投与系。